Podtech/llm-jp-corpus-v4-ja_patent huggingface dataset:
(57)【要約】      （修正有）【課題】走行距離を今までより長くすることができるよう、電池による電気の補助電力として、車の前部から入ってくる風圧を利用して発電する。【解決手段】走りながらバッテリーを充電するために、車の前部に取り付けたエアーダクト１より風を取り込んで風圧を圧縮して、ファンモーター２で電気を発電する。【選択図】図１
2014068519.tif 000002
【特許請求の範囲】
【請求項１】
車の前部で風を取り込んで、風力でファンを回し発電する権利。この技術は、ハイブリッド車、電気自動車などのように電気で走る車の補助電力システムである。
【発明の詳細な説明】
【技術分類】
【０００１】この発明は車の前部から入ってくる風圧を利用して発電するものである。
【背景技術】
【０００２】今までの発電方法では、発電に限りがある。
【先行技術文献】
【特許文献】
【０００３】この発明は、車が走行している限り発電するシステムである。
【特許文献１】
【発明の概要】
【発明が解決しようとする課題】
【０００４】今までの電池の場合、電気に限りがあった。
【課題を解決するための手段】
【０００５】この発明は、車が走行している限り発電するシステムである。
【発明の効果】
【０００６】風力で発電するシステムであれば、今の電気の補助電力として利用でき走行距離を今までより長くすることができる。
【図面の簡単な説明】
【０００７】正面図、側面図
【発明を実施するための形態】
【０００８】車の前部に取り付けたエアーダクトより風を取り込んで風圧を圧縮して、ファンモーターで電気を発電する。
【符号の説明】
【０００９】１．エアーダクト
２．ファンモーター電気
３．電流コンデンサー
【図１】
2014068519.tif 000003
【図２】
2014068519.tif 000004
【手続補正書】
【提出日】平成25年4月2日(2013.4.2)
【手続補正２】
【補正対象書類名】明細書
【補正対象項目名】０００７
【補正方法】変更
【補正の内容】
【０００７】
【図１】▲１▼上面図である。▲２▼１：エアダクト  ２：ファン  ３：発電機  ４：コンデンサー  ▲３▼このシステムは風力を利用し、風は正面から背面に抜けるようにする。▲４▼１の正面から風を取り込み２が回る。▲５▼２が回ると３で電気を発生させる。▲６▼３で発生した電気を４で調整して動力源に送る。▲７▼動いている限り発電し続ける仕組みである。
【図２】▲１▼正面図である。▲２▼１：エアダクト  ２：ファン  ３：発電機  ４：コンデンサー  ▲３▼このシステムは風力を利用し、風は正面から背面に抜けるようにする。▲４▼１の正面から風を取り込み２が回る。▲５▼２が回ると３で電気を発生させる。▲６▼３で発生した電気を４で調整して動力源に送る。▲７▼動いている限り発電し続ける仕組みである。
【図３】▲１▼立体図である。▲２▼このシステムは風力を利用し、風は正面から背面に抜けるようにする。▲３▼車等が走行中に１の正面から風を取り込み２が回る。▲４▼２が回ると３で電気を発生させる。▲５▼３で発生した電気を４で調整して動力源に送る。▲６▼動いている限り発電し続ける仕組みである。▲７▼自動車等の電気を必要とするもの全ての機械・装置の補助装置として利用できる。
【手続補正３】
【補正対象書類名】明細書
【補正対象項目名】０００９
【補正方法】変更
【補正の内容】
【０００９】  １．エアダクト
２．ファン
３．発電機
４．コンデンサー
【手続補正４】
【補正対象書類名】図面
【補正対象項目名】全図
【補正方法】変更
【補正の内容】
【図１】
2014068519.tif 000005
【図２】
2014068519.tif 000006
【図３】
2014068519.tif 000007
(57)【要約】【課題】ニンニク臭を低減した、ニンニクを原料とする健康食品を提供する。【解決手段】静置発酵法による黒酢の製造過程における熟成産物に、ニンニクの鱗茎を浸漬し、それによって得られた処理物を、固液分離せずにフリーズドライする。当該浸漬期間は２ヶ月以上であることが好ましい。かかる方法で製造された健康食品は、ニンニク臭が低減されているため、ニンニク臭を好まない者でも摂取し易い。当該健康食品は、黒酢もろみ，ニンニク，及び黒酢の含有成分を含み、健康食品として高い機能を発揮する。【選択図】なし【特許請求の範囲】
【請求項１】
静置発酵法による黒酢の製造過程における熟成産物に、ニンニクの鱗茎を浸漬する工程と、
該工程で得られた処理物を、固液分離せずにフリーズドライする工程と
を含むことを特徴とする健康食品の製造方法。
【請求項２】
ニンニクの鱗茎を熟成産物に２ヶ月以上浸漬することを特徴とする請求項１に記載の健康食品の製造方法。
【請求項３】
請求項１又は請求項２に記載の製造方法で製造されたことを特徴とする健康食品。
【発明の詳細な説明】
【技術分野】
【０００１】
本発明は、健康食品及び該健康食品の製造方法に関する。
【背景技術】
【０００２】
静置発酵法は、蒸し米，米糀，及び水を専用の壺に入れ、糖化，発酵，及び熟成の後、濾過，圧搾等で黒酢もろみを除いて黒酢を製造する伝統的方法である。黒酢もろみは、従来は廃棄物として処理されてきたが、アミノ酸や食物繊維を豊富に含むことが判明した昨今では、健康食品の原料として用いられている。尚、本発明において黒酢もろみと言うときは、熟成の過程で生じる沈殿物、即ち黒酢もろみ粕を意味し、発酵過程にある混合物を包含しない。
【０００３】
一方、古来より、ニンニクには疲労回復や血行促進の効果があるとされてきた。その含有成分の研究が進み、例えば、ビタミンＢ１の吸収を助け糖質の分解を促すアリシン、αアドレナリン受容体遮断作用，アンジオテンシン変換酵素阻害作用，及び一酸化窒素遊離促進作用により血圧を低下させるγ−グルタミル−Ｓ−アリルシステイン、並びにビタミンＢ６が、ニンニクに豊富に含まれることが知られている。それらを初めとする含有成分の機能に期待して、ニンニクも、健康食品の原料として頻用されている。
【０００４】
黒酢もろみ及びニンニクを原料とする健康食品として、例えば、黒酢もろみとニンニクエキスとを含有する錠剤が開示されている（例えば、特許文献１参照）。
【先行技術文献】
【特許文献】
【０００５】
【特許文献１】特開２００５−１３２８１４号公報
【発明の概要】
【発明が解決しようとする課題】
【０００６】
しかしながら、上記特許文献１に記載の錠剤を初め、ニンニクを原料とする健康食品は、独特の臭気を持つアリシンやその前駆物質である含硫化合物を含むため、ニンニク臭を有する。そのため、ニンニクを原料とする健康食品は、ニンニク臭を好まない者には摂取し辛いものであった。
【０００７】
上記問題点に鑑み、本発明は、ニンニクを原料としながらもニンニク臭を低減した、摂取し易い健康食品を提供することを課題とする。
【課題を解決するための手段】
【０００８】
上記課題を解決する第１の発明は、
静置発酵法による黒酢の製造過程における熟成産物に、ニンニクの鱗茎を浸漬する工程と、
該工程で得られた処理物を、固液分離せずにフリーズドライする工程と
を含む健康食品の製造方法である。
【０００９】
第２の発明は、ニンニクの鱗茎を熟成産物に２ヶ月以上浸漬する、第１の発明の健康食品の製造方法である。
【００１０】
第３の発明は、上記何れかの製造方法で製造された健康食品である。
【発明の効果】
【００１１】
本発明の健康食品は、ニンニク臭が低減されているから、ニンニク臭を好まない者でもそれを気にせず摂取することができる。また、本発明の健康食品は、黒酢もろみ及びニンニクの含有成分に加え黒酢の含有成分をも含むから、健康食品として、より高い機能を発揮する。
【００１２】
本発明の製造方法によれば、かかる健康食品を製造することができる。ニンニクの鱗茎を熟成産物に２ヶ月以上浸漬すると、ニンニク臭低減効果が更に高まる。
【発明を実施するための形態】
【００１３】
以下、本発明の実施の形態を詳しく説明するが、本発明はこれに限定されるものではない。
【００１４】
本発明は、
静置発酵法による黒酢の製造過程における熟成産物に、ニンニクの鱗茎を浸漬する工程と、
該工程で得られた処理物を、固液分離せずにフリーズドライする工程と
を含む健康食品の製造方法である。
【００１５】
以下、本発明の健康食品の製造方法について、順を追って説明する。
【００１６】
本発明に係る熟成産物は、静置発酵法による黒酢の製造過程における熟成工程で得られ、上清として黒酢を、及び沈澱として黒酢もろみを含む。黒酢の原料である蒸し米，米糀，及び水の種類は特に限定されないが、降圧作用を持つγ−アミノ酪酸や他の栄養分を豊富に含む発芽玄米を用いて、蒸し米及び米糀を作ることが好ましい。発酵と熟成に要する期間は特に限定されないが、好ましくは、両者を合わせて１年以上とされる。
【００１７】
上記熟成産物に、ニンニクの鱗茎を浸漬する。鱗茎は、生の物をそのまま浸漬しても良いが、表面の皮を除去したものを用いることが好ましい。浸漬を行う容器は限定されないが、静置発酵法の熟成までの工程とニンニクの鱗茎の浸漬とを、単一の壺で行うこともできる。
【００１８】
ニンニクの鱗茎を浸漬する期間は特に限定されないが、ニンニク臭を充分に低減するために、好ましくは２ヶ月以上、より好ましくは約３ヶ月とされる。ニンニク臭を低減するメカニズムは未だ解明されていないが、鱗茎から抽出された含硫化合物が、黒酢中の成分と相互作用して、アリシンを生じ難い構造をとることによると推測される。これは、ニンニク臭が徐々に低減され浸漬後２ヶ月で感知され難くなるのと符合するように、黒酢への含硫化合物の抽出量が浸漬後２ヶ月でプラトーに達する事実によって支持される。
【００１９】
浸漬後の処理物は、固体と液体とを含む。それらを固液分離せずにフリーズドライして、一様な組成を有する粉末を得る。当該粉末はそのままでも健康食品として使用可能であるが、賦形剤や他の粉末状成分と共に打錠し、液体に分散させ、又は、カプセルに封入して健康食品とすることもできる。前記粉末を分散させる液体として、不飽和脂肪酸に富み、それ自体もサプリメントとして利用される亜麻仁油が例示される。また、カプセル剤とする場合には、プリオン混入の虞の無い植物性ソフトカプセルを用いることが好ましい。
【００２０】
上記一連の操作によって得られる本発明の健康食品は、ニンニクを原料として用いるにも拘らず、そのニンニク臭が低減されている。そのため、ニンニク臭を好まない者でも、それを気にせず摂取することができる。また、当該健康食品は、黒酢もろみ及びニンニクに加え、黒酢も原料とするものであるから、黒酢に含まれる必須アミノ酸その他の栄養素を含み、健康食品としての高い機能が期待されるものである。黒酢がアンジオテンシン変換酵素阻害活性を示すことが知られているから、より高い降圧効果も期待される。
(57)【要約】      （修正有）【課題】携帯する際にカバンの中でキャップやポンプのヘッドが他の荷物に押され容器の中身が液漏れしてしまう点であり、使用頻度が高ければその都度詰め替える作業が面倒である。購入時付属のストッパーもとっておいてもどのポンプのものなのか迷ってしまい、ヒリンジキャップはシール留めのみなのではがしてしまえば持ち運ぶ行為が困難である。ポンプ首の太さに合わせてサイズ変更できキャップにカバーを手軽にでき紛失しないためのポーチを提供する。【解決手段】３ヶ所から５ヶ所の凸部および小穴３を設けた平らな楕円形の板と円錐形の筒状で上下が貫通し側面に数箇所中穴を設けた柔軟性のあるカバーで、ポーチ１上部に設けた小穴３に通しポーチ１から離れないよう取り付ける。【選択図】図１
2014068682.tif 000002
【特許請求の範囲】
【請求項１】
ポーチ開閉口上部に小穴をあけ、ヒンジキャップやボトルポンプにカバーあるいはストッパーを紐で固定装着し、洗髪用具だけでなく、同型の保管容器の装着脱もでき、持ち運ぶ際には内容液を漏れることなく収納でき持ち運べることを特徴とする。
【発明の詳細な説明】
【技術分野】
【０００１】
本発明は、ポンプやヒンジキャップ容器の中身の飛び出しを防ぐ為のストッパーとカバーを付けたポーチに関するものである。
【背景技術】
【０００２】
すべてのシャンプーやリンスには液体を出すためのポンプや、そのポンプでは出し入れが困難なトリートメントの乳液状に関してはヒンジキャップなどを採用し、洗髪液の容器だけでなく他にも同型容器が存在し、必要な量のみ簡単に出すことができるので非常に便利な利点がある。
入浴具はシャンプーとリンスをセットで使用することが多く、小ボトルポンプも持ち運びも簡単で旅先や銭湯などでの利用も宿泊先に据え置きの洗髪用具などを利用することなく、自宅で通常使用している同様のものを使える。必要な量だけを計画的に出すことができポンプやヒンジキャップがついているシャンプーやリンスの定常使用は実用上それで十分であった。
【先行技術文献】
【特許文献】
【０００３】
【特許文献１】特許公開２０１２−１１５８０６号公報
【特許文献２】特許公開２０１１−１９５１９１号公報
【特許文献３】特許公開２０１０−１０５７３９号公報
【特許文献４】特許公開２００６−３３５４６９号公報
【特許文献５】特許公開２００４−３３８７８８号公報
【特許文献６】特許公開２００４−２０３４５６号公報
【特許文献７】特許公開２００３−４０３１０号公報
【特許文献８】特許公開平８−２４４８３７号公報
【特許文献９】特許公開２００１―１９２０５４号公報
【特許文献１０】特許公開２０１２−１５３４０９号公報
【非特許文献】
【０００４】
【非特許文献１】「発明ライフ」発明学会出版  ２０１２年月間号
【発明の概要】
【発明が解決しようとする課題】
【０００５】
解決しようとする問題点は、携帯した際かばんの中でヒンジキャップのフタやポンプのヘッドが他の荷物に押され簡単にフタが開いてしまい液漏れが発生し、衣類等に付着してしまう点である。購入時には付いていたストッパーは買った時点で捨ててしまい、いざ携帯するとなると詰め替えて持ち運ぶこととなる。銭湯やスポーツクラブでの洗髪する頻度が高い場合その都度、小瓶に詰め替える作業が面倒である。その小瓶ですらストッパーはついておらずポンプなどは首の部分がネジ式になっている場合が多く、簡単に中身が出せるがゆえに持ち運びには不便。
本発明は、以上の問題点を解決するためになされたものである。
【課題を解決するための手段】
【０００６】
本発明は、３ヶ所から５ヶ所の凸部と小穴を設けた平たい楕円形の板とヒンジキャップにかぶせるため中が空洞になる円錐形の筒状で上下が貫通しており中穴を側面四方に数箇所設けた柔軟性のあるカバーをポーチ開口部上部に取り付けるため、設けた小穴に通しポーチから離れないよう取り付けたことを最も主要な特徴とする。
【発明の効果】
【０００７】
本発明の液漏れ防止付きポーチは、シャンプーやトリートメントを携帯する際に出し入れ部分がカバンの中で他の荷物に押され液体などを付着を防ぐため、ヒリンジ型キャップやポンプの首部にカバーをつけることによって気にせず持ち歩くことができる。ポーチに付いているストッパーを使用することによって失くさない。シャンプーやトリートメントはセットで使用するパターンが多く携帯する際にわざわざ小瓶に詰めなおす手間が省け、小瓶の中身を使い終えたときわざわざ洗浄することなく、普段使用しているボトルごと持ち運べボトルやチューブをポーチのストッパーから外してそのまま使用することの繰り返しという最大の利点がある。
【図面の簡単な説明】
【０００８】
【図１】図１は液漏れ防止付きポーチの実施方法を示した説明図および斜視図である。
【図２】図２は図１の２の実施方法を示した説明図である。（実施例１）
【図３】図３は図１の５の実施方法を示した説明図である。（実施例２）
【図４】図４は図１の５の拡大図であり斜視図である。
【図５】図５は図１の２の拡大図であり斜視図である。
【図６】図６は図１の２の完成図であり斜視図である。
【発明を実施するための形態】
【０００９】
ポーチ（１）にポンプやチューブの誤漏れを防止するためストッパー（２）とカバー（５）を付け、ポーチ（１）上部（９）に小板（２）を紐（７）で吊るす。同じく、ポーチ（１）の上部（９）に空洞円錐形リング（５）を中穴（６）を通して吊るす。ポンプの首部分に平らな楕円形の小板（２）を装着しポンプの首部分の太さに合わせ、小穴（３）と凸部（４）で調節し押して留め持ち運ぶ。ポンプの使用時は小穴（３）と凸部（４）を外す。ポーチ（１）にはそのまま平らな小板（２）と紐（７）がついているので紛失しない。又、同様にチューブ先のヒリンジキャップ部分に空洞円錐形リングカバー（５）を被せ、絵柄（８）を見て微笑みながらカバンの中で固定させ、チューブ使用時には空洞円錐形リングカバー（５）の上部貫通穴（１０）から指を挿入しヒリンジキャップが開かないよう上部を押さえながら取り除き、ポーチ（１）にはそのまま空洞円錐形リングカバー（５）が中穴（６）を通っている紐（７）およびポーチ（１）の上部（９）についたままなので紛失せず、使い終えたチューブはまた空洞円錐形リングカバー（５）に装着して持ち運び、他の容器に詰め替える手間を省く目的で実現した。
【産業上の利用可能性】
【００１０】
ポーチに取付けたストッパーとカバーを用いて容易に洗髪用具がセットで携帯でき、また同型の保管容器にも取付けられるため洗髪用具に限らず化粧品道具など広範囲で代用でき、またポーチに取り付けることによって紛失もせず、洗髪用具などの使用頻度が高い必要不可欠な用途に適用できる。
【符号の説明】
【００１１】
１    ポーチ
２    平らな楕円形の小板
３    小穴
４    凸部分
５    空洞円錐形リング
６    中穴
７    吊るす紐
８    絵柄
９    ７を通す小穴
１０    空洞円錐形リング上部貫通穴
【図１】
2014068682.tif 000003
【図２】
2014068682.tif 000004
【図３】
2014068682.tif 000005
【図４】
2014068682.tif 000006
【図５】
2014068682.tif 000007
【図６】
2014068682.tif 000008
(57)【要約】【課題】ＧＭＳＫ変復調装置は、変調部において送信ビットデータをガウスフィルタを通すことで送信帯域の広がりを防ぐ処理を行う。このときガウスフィルタの帯域幅ＢＴを小さい値に設定すると送信帯域の広がりを防ぐことができるが、復調すると波形が大きく歪み、アイパターンのアイの下側が狭くなり、雑音が付加されるとビット判定誤りが生じやすくなる。  本発明の目的は、復調方法で２ビット遅延検波を行ったあと、ビット判定を行う前に、適切なフィルタを置くことで、波形の歪みを軽減し、判定誤り率を低減する。【解決手段】本発明のＧＭＳＫ復調装置の復調判定方法は、直交検波手段と、ローパスフィルタによる帯域制限手段と、２ビット遅延検波手段と、２倍波を強調する２倍波強調手段と、ビット判定手段とを有することを特徴とする。【選択図】  図１
2014068218.tif 000002
【特許請求の範囲】
【請求項１】
直交検波手段と、ローパスフィルタによる帯域制限手段と、２ビット遅延検波手段と、２倍波を強調する２倍波強調手段と、ビット判定手段とを有することを特徴とするＧＭＳＫ復調装置の復調判定方法。
【発明の詳細な説明】
【技術分野】
【０００１】
本発明は、復調装置の復調判定方法に関し、特にＧＭＳＫ（Ｇａｕｓｓｉａｎ  ｆｉｌｔｅｒｅｄ  Ｍｉｎｉｍｕｍ  Ｓｈｉｆｔ  Ｋｅｙｉｎｇ）復調装置の復調判定方法に関するものである。
【背景技術】
【０００２】
従来、デジタルＦＭ信号復調方法は、周波数変調されたデジタル信号を少なくとも３個の２ビット積分器で２ビット積分し、積分出力を切替器でタイミング信号に応じて切替え連続出力とし、切替器の積分出力と、遅延回路で遅延させた過去２ビット信号を入力して識別レベル選択回路に設けた４値に応じた識別レベルにより選択した過去２ビットの信号とを比較器で比較し、周波数変調されたデジタル信号を復調する（例えば、特許文献１参照。）。
【先行技術文献】
【特許文献】
【０００３】
【特許文献１】特開平８−９７８６８号公報
【発明の概要】
【発明が解決しようとする課題】
【０００４】
ＧＭＳＫ変復調装置は、変調部において送信ビットデータをガウスフィルタを通すことで送信帯域の広がりを防ぐ処理を行う。このときガウスフィルタの帯域幅ＢＴを小さい値に設定すると送信帯域の広がりを防ぐことができるが、復調すると波形が大きく歪み、アイパターンのアイの下側が狭くなり、雑音が付加されるとビット判定誤りが生じやすくなる。
本発明の目的は、復調方法で２ビット遅延検波を行ったあと、ビット判定を行う前に、適切なフィルタを置くことで、波形の歪みを軽減し、判定誤り率を低減する。
【課題を解決するための手段】
【０００５】
本発明のＧＭＳＫ復調装置の復調判定方法は、直交検波手段と、ローパスフィルタによる帯域制限手段と、２ビット遅延検波手段と、２倍波を強調する２倍波強調手段と、ビット判定手段とを有することを特徴とする。
【発明の効果】
【０００６】
本発明によれば、ＧＭＳＫ復調装置において、ビット誤り率判定手段の前段に２倍波強調フィルタ手段を設置することでビット判定手段の判定誤り率を低減することができる。
また、ビット判定手段におけるＢＥＲ（Ｂｉｔ  Ｅｒｒｏｒ  Ｒａｔｅ）を改善できる。
【図面の簡単な説明】
【０００７】
【図１】本発明の一実施例である復調装置を説明するためのブロック図である。
【図２】本発明の一実施例である復調装置の２倍波強調フィルタの周波数特性を説明するための図である。
【図３】本発明の一実施例である復調装置の２ビット遅延検波部の復調波形とアイパターンを説明するための図である。
【発明を実施するための形態】
【０００８】
以下、本発明の一実施例について図を用いてで説明する。
図１は本発明の一実施例である復調装置を説明するためのブロック図である。
図１において、復調装置は、ＧＭＳＫ（Ｇａｕｓｓｉａｎ  ｆｉｌｔｅｒｅｄ  Ｍｉｎｉｍｕｍ  Ｓｈｉｆｔ  Ｋｅｙｉｎｇ）変調方式の電波をアンテナ１０７で受信し、受信した電波を直交検波部１０１で搬送波の２倍波成分と信号成分に分ける。そして、ローパスフィルタ部１０２で信号成分を抽出し、２ビット遅延検波部１０３の遅延線により２シンボル時間遅延させた受信信号の複素共役と乗算器で乗算を行う。次に２倍波強調フィルタ部１０４でシンボルレートの１／２の周波数成分を増幅し、判定部１０５により最適なレベルとサンプリング点で０、１判定を行う。
そして、接栓１０６から受信データを出力する。
【０００９】
次に、２倍波強調フィルタ部１０４の周波数特性について、図２を用いて説明する。
図２は本発明の一実施例である復調装置の２倍波強調フィルタの周波数特性を説明するための図である。
図２のグラフは横軸が周波数であり、縦軸が利得である。Ｆｃはシンボルレートである。
【００１０】
図２は、２倍波を強調するためのフィルタとするため、周波数がＦｃ／４までが０ｄＢであり、Ｆｃ／２で６ｄＢの利得特性である。すなわち、２倍波で２倍の利得を有しているフィルタである。
本発明は、図２の周波数特性の２倍波強調フィルタ部１０４を追加することで、判定部１０５におけるビット判定誤りを低減することができる。
【００１１】
シンボルレート（Ｆｃ）は、デジタル変調における変調の基本的単位で、単位はＢａｕｄで、その速度を表す。１シンボルで伝送できる情報量は変調方式による。例えばＢＰＳＫ（Ｂｉｎａｒｙ  Ｐｈａｓｅ  Ｓｈｉｆｔ  Ｋｅｙｉｎｇ）の場合は１シンボル１ビットであり、ＱＰＳＫ（Ｑｕａｄｒａｔｕｒｅ  Ｐｈａｓｅ  Ｓｈｉｆｔ  Ｋｅｙｉｎｇ）の場合は２ビットが１シンボルである。
【００１２】
図３は本発明の一実施例である復調装置の２ビット遅延検波部の復調波形とアイパターンを説明するための図である。
アイパターン（Ｅｙｅ  Ｄｉａｇｒａｍ）は、デジタルデータ伝送路の品質を評価する１つの方法で、ランダムなシンボルを送ったときの信号の波形を秒ごとに切り取り、それを同じ区間に重ねて描いたものである。
図３は本発明のアイパターンの一例である。これを見ると、ジッターが少なく、ノイズマージンがある程度あることが分かる。
【００１３】
本発明によれば、ＧＭＳＫ復調装置において、ビット誤り率判定手段の前段に２倍波強調フィルタ手段を設置することでビット判定手段の判定誤り率を低減することができる。
また、ビット判定手段におけるＢＥＲ（Ｂｉｔ  Ｅｒｒｏｒ  Ｒａｔｅ）を改善できる。
【００１４】
以上本発明について詳細に説明したが、本発明は、ここに記載されたＧＭＳＫ復調装置に限定されるものではなく、上記以外の復調装置に広く適用することができることは言うまでもない。
【符号の説明】
【００１５】
１０１：直交検波部、１０２：ローパスフィルタ部、１０３：２ビット遅延検波部、１０４：２倍波強調フィルタ部、１０５：判定部、１０６：接栓、１０７：アンテナ。
【図１】
2014068218.tif 000003
【図２】
2014068218.tif 000004
【図３】
2014068218.tif 000005
(57)【要約】【課題】従来のスタイはスタイ一体型のため左右自由自在に移動させ拭いたり片方だけの取替えをしたりすることが容易にはできなかった。スタイ本体を持っての動作のため使用範囲も限られていた。  本発明は、乳幼児や要介護者の取り外し自由なスタイ具を提供する。【解決手段】スタイ本体の左右に止め具を設け、夫々の止め具に胸当て布を着脱自在に取付けたスタイ具。【選択図】図１
2014065999.tif 000002
【特許請求の範囲】
【請求項１】
スタイ本体の左右に止め具を設け、夫々の止め具に胸当て布を着脱自在に取付けた、スタイ具。
【発明の詳細な説明】
【技術分野】
【０００１】  本発明は、左右取り外し自由なスタイ具に関するものである。
【背景技術】
【０００２】  従来のよだれかけは下布地の上に上布地前面のみの取り外しができる前掛けであった。（特許文献１参照）
【先行技術文献】
【特許文献】
【０００３】
【特許文献１】  特開２００８−２５５５４２号公報
【発明の概要】
【発明が解決しようとする課題】
【０００４】  乳幼児や障害者などはよだれや汚れによりスタイを着用する必要がある。
スタイ本体が一体型のためよだれなどを拭くときも、スタイ本体を持っての動作となり移動範囲も限られ衛生上よくなかった。
本発明は、乳幼児や要介護者の頻繁なスタイ取替えを解消する為のものである。
【課題を解決するための手段】
【０００５】スタイ本体の左右に止め具を設け、夫々の止め具に胸当て布を着脱自在に取付けた、スタイ具。
以上の構成よりなるスタイ具。
【発明の効果】
【０００６】  スタイ前面の上布地胸当て部を左右はなすことにより汚れや、よだれなどを拭く範囲も広がり機能性も生じる。片方だけの取替えも簡単自由にできるまた、自由自在に移動させ汚れた箇所を拭くことができる。また高齢者や障害者など介助にはエプロンとしても使用することことができる。ボタンやホック・紐などの留め具もあるが本発明は面ファスナーでもよい。
本発明は自由自在に動作でき片側だけの取替えも容易にできものである。
【図面の簡単な説明】
【０００７】
【図１】本発明の平面図
【図２】本発明の取り外し図
【発明を実施するための形態】
【０００８】  以下、本発明の実施の形態を説明する。
（イ）スタイ本体（１）の下布地左右両肩部分に面ファスナー（２）を取りつける。
（ロ）スタイ本体（１）の上布地左胸当て部（３）と上布地右胸当て部（４）の裏面の両肩部分に面ファスナ−（２）を左右に取付ける。
本発明は以上のような構造である。
本発明を使用する時は図２に示すように、スタイ本体（１）の上布地左胸当て部（３）とスタイ本体（１）の上布地右胸当て部（４）の裏面を面ファスナー（２）でとめる。スタイ本体（１）の両肩には面ファスナー（２）が取付けてあるので肩から落ちることはない。使用後は上布地左胸当て部（３）と上布地右胸当て部（４）を取外す。
【符号の説明】
【０００９】  １  スタイ本体、２  面ファスナー、３  上布地左胸当て部、４  上布地右胸当て部、
【図１】
2014065999.tif 000003
【図２】
2014065999.tif 000004
(57)【要約】【課題】  コンクリート床の墨出しには、カルコを持ってもらう手元との二人作業か、コンクリート釘を打ち込み糸を絡ませ行うのが、いまでも主流の方法であり、人的費用のロスだった。  本発明は、墨出し補助具を使用する事により、人的費用を少なくする事が出来る墨出し補助具である。【解決手段】  磁石使用可能な鉄製の正三角形の墨出し補助具の３点のビスで床を滑らないように置き、磁石付きカルコを上部にくっつけて、墨壷糸を切り込みに誘導して、足元の滑り止め用のビスに掛け墨打ちを行う墨出し補助具。【選択図】図４
2014065139.tif 000002
【特許請求の範囲】
【請求項１】
鉄や鋳物のような磁性体素材を用い、一辺の長さが約１０ｃｍ程で数センチ厚みの、ほぼ正三角形状の三角ベースを形成し、三つの角のそれぞれに、各隅を跨ぐ様に縦に２ケ所壷糸保護切り込みを設け、三つの角の少し内側に、それぞれ一ケ所ずつビス穴を設ける、ここに滑り止めとして先端をとがらせたステンレス製のビスをねじ込む。この三角ベースの上にベースと合わせて約４Ｋｇ程の重さになるような重し部を設ける。重し部は形状を問わないが、高さが約７ｃｍ程で、重し部上面は平らで磁性体でなければならず、側壁面に、手で掴む時の指先の引っ掛りが在るような指掛け凹みを周回させて設ける。重し部上面は平らな磁性体で、三角ベースの壷糸保護切り込みの上方へ最短の位置辺に３ケ所、上部壷糸保護切り込みを設けるが、この上部壷糸保護切り込みは、三角ベースの壷糸保護切り込みの様に深く設ける必要はなく、上面から浅く切り込んであればよい。
以上を特徴とする、墨出し補助具。
【発明の詳細な説明】
【技術分野】
【０００１】  本発明は、墨出し工事の道具である。
【背景技術】
【０００２】  従来、コンクリート等の床の墨出しには二人一組で片方が墨壷を持ち、相方がカルコを所定の位置に押えて、墨打ち作業を行っていた。一人で墨出しを行う場合は、所定の位置にコンクリート釘等を打ち込み、壷糸を絡ませて墨出し作業を行っていた。二人作業には、工賃等に無駄が生じるので、一人作業による補助具が必要。
【発明の概要】
【発明が解決しようとする課題】
【０００３】  コンクリート等の床に墨出しを行う場合、通常二人で行っていたが、二人作業は余計な工賃がかさんでしまう。一人作業をするには、補助道具なしには不可能であった。
本発明は、以上の問題点を解決する為になされたものである。
【課題を解決するための手段】
【０００４】  鉄や鋳物のような磁性体素材を用い、一辺の長さが約１０ｃｍ程で数センチ厚みの、ほぼ正三角形状の三角ベースを形成し、三つの角のそれぞれに、各隅を跨ぐ様に縦に２ケ所壷糸保護切り込みを設け、三つの角の少し内側に、それぞれ一ケ所ずつビス穴を設ける、ここに滑り止めとして先端をとがらせたステンレス製のビスをねじ込む。この三角ベースの上にベースと合わせて約４Ｋｇ程の重さになるような重し部を設ける。重し部は形状を問わないが、高さが約７ｃｍ程で、重し部上面は平らな磁性体でなければならず、側壁面に、手で掴む時の指先の引っ掛りが在るような指掛け凹みを周回させて設ける。重し部上面は平らな磁性体で、三角ベースの壷糸保護切り込みの上方へ最短の位置辺に３ケ所、上部壷糸保護切り込みを設けるが、この上部壷糸保護切り込みは、三角ベースの壷糸保護切り込みの様に深く設ける必要はなく、上面から浅く切り込んであればよい。
以上を特徴とする、墨出し補助具である
【発明の効果】
【０００５】  従来床の墨出し作業には、二人で行っていたのを、一人で行う事ができ、工賃の節約にもなる。
本発明は、コンクリート床、カーペット床、ビニール製床の、墨出し作業に使用でき、相方がいなくても墨出し作業が行える。
【図面の簡単な説明】
【０００６】
【図１】本発明の平面図、
【図２】本発明の正面図
【図３】本発明の斜視図
【図４】本発明の実施例を示す斜視図
【発明を実施するための形態】
【０００７】  鉄や鋳物のような磁性体素材を用い、一辺の長さが約１０ｃｍ程で数センチ厚みの、ほぼ正三角形状の三角ベース（１）を形成し、三つの角のそれぞれに、各隅を跨ぐ様に縦に２ケ所壷糸保護切り込み（２）を設け、三つの角の少し内側に、それぞれ一ケ所ずつビス穴（３）を設ける、ここに滑り止めとして先端をとがらせたステンレス製のビス（８）をねじ込む。この三角ベースの上にベースと合わせて約４Ｋｇ程の重さになるような重し部（４）を設ける。重し部（４）は形状を問わないが、高さが約７ｃｍ程で、重し部上面は平らな磁性体（５）でなければならず、側壁面に、手で掴む時の指先の引っ掛りが在るような指掛け凹み（６）を周回させて設ける。重し部上面は平らな磁性体（５）で、三角ベース（１）の壷糸保護切り込み（２）の上方へ最短の位置辺に３ケ所、上部壷糸保護切り込み（７）を設けるが、この上部壷糸保護切り込み（７）は、三角ベース（１）の壷糸保護切り込み（２）の様に深く設ける必要はなく、上面から浅く切り込んであればよい。
本発明は、以上のような構成であり、これを実際に使うときは、重し部上面の平らな磁性体（５）に、磁石付きカルコ（９）をくっつけて、墨壷糸（１０）を上部壷糸保護切り込み（７）に誘導し、三角ベース（１）の、各隅に設けた壷糸保護切り込み（２）に掛け、滑り止めとして先端をとがらせたステンレス製のビス（８）に掛けて、所定の位置（１１）に合わせ滑らないのを確認の上、片側の墨壷を持ち墨壷糸にテンションを掛け墨打ちを行う、墨出し補助具である。
【符号の説明】
【０００８】  １、三角ベース    ２、壷糸保護切り込み    ３、ビス穴    ４、重し部
５、重し部上面    ６、指掛け凹み    ７、上部壷糸保護切り込み
８、滑り止めビス    ９、磁石付きカルコ    １０、墨壷糸    １１、所定の位置
【図１】
2014065139.tif 000003
【図２】
2014065139.tif 000004
【図３】
2014065139.tif 000005
【図４】
2014065139.tif 000006
(57)【要約】      （修正有）【課題】柔軟性から発生する伸縮性により玉掛けの遊び長さが拡大することによる、飛来・落下などの危険の発生を防ぐことのできるナイロンスリングの支持点追加金具を提供する。【解決手段】ナイロンスリングの任意位置を角鋼１と丸鋼２で挟み込みスリングクリップを取り付ける支持点を設け、巻き上げ機で揚重前に吊り上げ荷重と同等の予備締め応力を発生させ玉掛け遊び拡大を解消する。【選択図】図１２
2014065550.tif 000002
【特許請求の範囲】
【請求項１】
ナイロンスリングを角鋼（図12−1）と丸鋼（図12−2）で挟み込む（図12−ｋｔ）（図12−mt）ことにより発生する摩擦力で、ナイロンスリングの任意位置に支持点を設ける。
【発明の詳細な説明】
【技術分野】
【０００１】
本発明は、ナイロンスリングを使用した玉掛けの安定性、安全性の向上に関するものである。
【背景技術】
【０００２】
揚重吊り作業、台付け固定作業の際、対象物を破損しにくい玉掛け具として素材の柔軟性に優れたナイロンスリングは汎用性が高い玉掛け具となっている。
【発明の概要】
【発明が解決しようとする課題】
【０００３】
ナイロンスリングを使用して重量物を揚重する際、素材の柔軟性から発生する伸縮性により玉掛けの遊び長さ（図４−１）が拡大し、飛来・落下災害が発生する危険性が高い。
【課題を解決するための手段】
【０００４】
ナイロンスリングの任意位置に本発明であるスリングクリップを取り付け支持点を設け（図5ーB）、巻き上げ機（図５−C）などで揚重前に吊り上げ荷重と同等の予備締め応力（図５−ｔ）を発生させ玉掛け遊び拡大を解消する。（図6）
【図面の簡単な説明】
【０００５】
【図１】ナイロンクリップ組立図
【図２】ナイロンクリップ部品図
【図３】スリングクリップ組み立て方法（１）  メインクリップ１にナイロンスリングＡを差し込む。（２）  サブクリップ２でナイロンスリングＡを挟み、締め付けボルト４で締め付ける。（３）  クリップ鋼棒３をナイロンスリング巻き込み部に挿入し、外れ止めピン５で固定する。
【図４】ナイロンスリングＡのみを使用した揚重時の玉掛け遊び１
【図５】スリングクリップの玉掛け予備締め使用図
【図６】スリングクリップで予備締めを行った玉掛け遊び解消の効果
【図７】試作品組立設置状況画像
【図８】試作品予備締め実施状況画像
【図９】試作品予備締め後玉掛け状況画像
【図１０】試作品予備締め後玉掛け、揚重状況画像
【図１１】試作品予備締め玉掛け後地切り状況画像
【図１２】請求範囲の略図
【実施例】
【０００６】
スリングクリップの効果を実証するため、試作品を製作し試験揚重を行った。
【０００７】
揚重試験対象には表面が円滑な重量４．３ｔの内径２６００ｍｍFRPM管製品を使用した。玉掛け具として１００ｍｍ幅ナイロンスリングを2点吊りで揚重する。
【０００８】
ナイロンクリップを任意位置に設置し（図7）巻き上げ機を用いて所定の位置で予備締めを行った（図8）。
【０００９】
2点吊り両方を予備締め実施後（図9）、揚重機に玉掛けした。
【００１０】
吊荷重を徐々に増加させても不安定になるような玉掛け遊びは発生しなかった（図10）。
【００１１】
地切り後も玉掛け遊びは増大しなかった（図11）。
【産業上の利用可能性】
【００１２】
ナイロンスリングを用いた揚重作業全般で容易に使用することができ、飛来・落下災害の抑制に貢献できる。
【図１】
2014065550.tif 000003
【図２】
2014065550.tif 000004
【図３】
2014065550.tif 000005
【図４】
2014065550.tif 000006
【図５】
2014065550.tif 000007
【図６】
2014065550.tif 000008
【図７】
2014065550.tif 000009
【図８】
2014065550.tif 000010
【図９】
2014065550.tif 000011
【図１０】
2014065550.tif 000012
【図１１】
2014065550.tif 000013
【図１２】
2014065550.tif 000014
(57)【要約】      （修正有）【課題】湿度が高い時期でも快適な生活を送るために、身体表面の潤滑を保持することのできる装置を提供する。【解決手段】身体と身体に一番近い着衣の間に天花粉拡散装置１を設置して、着用すれば身体の運動によって、天花粉拡散装置１が両面から圧迫をうけ、綿体に浸透した天花粉４がついに綿体表面から細かな粒子となって拡散し、身体表面と着衣の内側、およびその中間に拡散しそれにより、身体表面の潤滑に役立てることができるものである。【選択図】図１
2014065698.tif 000002
【特許請求の範囲】
【請求項１】
一定の体積を有する、綿体の中央にスリットをいれ、その中に天花粉を充填し、身体の運動によって、天花粉が身体と着衣の間に拡散する装置。
【発明の詳細な説明】
【技術分野】
【０００１】本発明は身体と身体に最も近い着衣間に、綿体天花粉拡散装置を設置し、常に身体表面の潤滑を保持しようとするものである、
【背景技術】
【０００２】従来身体の潤滑については、着衣をつける前に身体に装着していた、
【発明の概要】
【０００３】本発明は身体と身体に最も近い着衣の間に、天花粉拡散装置を設置し、常時身体の潤滑を図ろうとするものである、
図―１は本発明による天花粉拡散装置の正面図である、ただし図―２のａ〜ａ’断面図である、▲１▼は綿体であり、▲２▼はこの綿体の３方向を結束した縫い糸である、▲３▼はこの綿体に開けられたスリットであり、▲４▼はスリットに含有させた天花粉である、
図―２は天花粉拡散装置の平面図である、
図―３は天花粉拡散装置の背面図である、
図―４は着衣の内側に天花粉拡散装置を装着した図であり、▲１▼は天花粉拡散装置、▲５▼は着衣、▲６▼は取り付け紐、▲７▼は留め金具である、
図―５は着衣内側にポケット▲８▼を設置した状態を示す、▲８▼の中に天花粉拡散装置▲１▼を設置して、初期の目的を達成する、
図―４または図―５のとおり天花粉拡散装置を設置して、着用すれば身体の運動によって、天花粉拡散装置▲１▼は両面から圧迫をうけ、綿体に浸透した天花粉がついに綿体表面から細かな粒子となって拡散し、身体表面と着衣の内側、およびその中間に拡散しそれにより、身体表面の潤滑に役立てることができるものである。
【課題を解決するための手段】
【０００４】身体表面が天花粉に適合しない人には、さらに研究を要する。
【発明の効果】
【０００５】特に湿度は高い時期に、快適な生活を提供する。
【発明を実施するための最良の形態】
【０００６】広く社会に告知しこの発明の普及をはかる。
【図面の簡単な説明】
【０００７】
【図１】図―１  この発明による、天花粉拡散装置の正面図である、ただし図―２のＡ〜Ａ’断面図である。綿体▲１▼の中央はスリット▲３▼が設けられており、その中に天花粉▲４▼を含有している。
【図２】図―２  この発明による、天花粉拡散装置の平面図である、装置の３方向は縫い糸▲２▼により結束され、その内側はスリット▲３▼が開けられている。
【図３】図―３  この発明による、天花粉拡散装置の背面図である、内部にスリット▲３▼を有しその中に天花粉▲４▼を含有している。
【図４】図―４  着衣▲５▼にこの天花粉拡散装置▲１▼を装着した図である、▲６▼は吊り下げ紐、▲７▼はそれを固定する留め金具である。
【図５】図―５  着衣▲５▼の内側にポケット▲８▼を設置した図である、ポケット▲８▼の中に天花粉拡散装置▲１▼を内包する。
【符号の説明】
【０００８】▲１▼    天花粉拡散装置
▲２▼    ３方向縫い糸
▲３▼    スリット
▲４▼    天花粉
▲５▼    着衣
▲６▼    吊り下げ紐
▲７▼    留め金具
▲８▼    着衣内側ポケット
【図１】
2014065698.tif 000003
【図２】
2014065698.tif 000004
【図３】
2014065698.tif 000005
【図４】
2014065698.tif 000006
【図５】
2014065698.tif 000007
(57)【要約】【課題】従来は、自動車が水に浸かった時、車両内の装置の接触部などの隙間に水が溜まり、その水が導体となってショートを起こし、車両火災になる事があった。【解決手段】これまでの自動車のバッテリーのターミナルに取り付けられたリード線に車両が事故や災害で水に浸かった時、車両内に組み込まれた装置の接触部の隙間に残った水が導体となってショートを起こし、車両火災となる事があったので、バッテリーのターミナルに取り付けられたリード線に新たに水に反応し遮断するブレーカーを取り付ける事で車が水に浸かってもブレーカーが落ちて車両火災を防ぐ事が出来る。【選択図】図１
2014065474.tif 000002
【特許請求の範囲】
【請求項１】
自動車が事故や災害などで水に浸かった時、車両内の装置の接触部などの隙間に水が溜まり、その水が導体となってショートをする事で、車両火災になる事があったので、この車両火災を防ぐ方法として、自動車に組み込まれたバッテリーのターミナルに取り付けるリード線に電気を遮断する装置として、水に接すると水に反応して電気を遮断するブレーカーを新しく組み込む事で、自動車が事故や災害で水に浸かる事があっても、ショートによる車両火災を防ぐ自動車が出来る。
【発明の詳細な説明】
【技術分野】
【０００１】この発明は、今までは車両が事故や災害などで水に浸かった時、車両に組み込まれている装置内での接触部分で水が導体となってショートを起こし、車両火災になる事があったが、車両に組み込まれたバッテリーのターミナルに取り付けられたリード線に水に反応し遮断するブレーカーを新たに組み込む事で水による車両火災を防ぐ自動車。
【背景技術】
【０００２】現在、自動車が事故や災害などで水に浸かった時、車内に組み込まれた装置の部材で水が導体となってショートを起こし、車両火災になる事を防ぐ事が望まれていた。
【発明の概要】
【発明が解決しようとする課題】
【０００３】これまでは、次のような欠点があった。自動車は事故や災害などで車が水に浸かった時、車両内に入った水が、車両内のいろいろな装置の部材の接触部の隙間で水が導体となってショートする事を防ぎ、その残った水が導体となる事でショートによる車両火災が起こらないようにと、バッテリーのターミナルに取り付けられたリード線に水に反応し、電気を遮断する事が出きるターミナルを取り付け車両火災を防止するように考えられたものである。
【課題を解決する為の手段】
【０００４】これまで自動車のバッテリーのターミナルに取り付けられたリード線に、自動車が事故や災害などで水に浸かった時、その水が車両内に組み込まれた装置の部材の接触部で水が導体となってショートする事で、車両火災になる事を防止する為に、新たに水に反応し電気を遮断するようにとバッテリーのターミナルに取り付けられるリード線にブレーカーを組み込んだ自動車のバッテリーの配線装置。
【発明の効果】
【０００５】自動車に組み込まれたバッテリーのターミナルの取り付けられたリード線に自動車が水に浸かった時、水に反応し電気を遮断するブレーカーを新たに組み込む事で、車両に組み込まれている装置の隙間などで水が導体となりショートする事を防ぎ、車両火災を防ぐ事が出来る車両の配線システムを提供する事が出来る。
【図面の簡単な説明】
【０００６】
【図１】バッテリーのリード線に取り付けられた水に反応し遮断するブレーカー
【発明を実施する為の形態】
【０００７】以上、本願発明の実施の形態について説明する。
自動車が事故や災害などで水に浸かった時、車両が水に浸かった事で車両内装置の接触部の隙間に残った水が導体となってショートを引き起こす事があるので、これを防止する為、自動車に組み込まれているバッテリーのターミナルに取り付けられたリード線に、非常時、電気を遮断する為、水に接すると水に反応し、電気を遮断できるブレーカーを新しく取り付ける事で、車両が水に浸かっても車両内の装置でショートを起こさない自動車として提供する事が出来る。
【符号の説明】
【０００８】▲１▼バッテリー
▲２▼ターミナル
▲３▼リード線
▲４▼ブレーカー
【図１】
2014065474.tif 000003
(57)【要約】      （修正有）【課題】垂直離着陸機を今より安全に、速く、高く、遠く、飛び、緊急時に今より安全に着陸できる様にする。【解決手段】緊急時の着陸は、固定翼機の様に水平着陸できる様に固定翼をつけて、滑空により着陸できる様に考えた。更に操縦安定と上昇力、水平飛行の速度増強のため、差動ローターにした。また水平尾翼２２を主翼と同じ角度で連動して動く様にした。更に積荷重心移動装置をつけて全体の重心バランスをとれる様にする。乗客もみだりに集団で動いてはいけない、一人づつぐらいならよい。更に高空に飛べる様に与圧モノコック機体とした。更に垂直上昇、垂直降下時の故障緊急時は機体の前方と後方から２つの超巨大パラシュートを射出すると同時にエンジンを止めて、主ローターとエンジンを連結し、主ローターの空気抵抗と合せて落下速度を小さくする様に考えた。また車輪は外出す。【選択図】図４−１
2014065477.tif 000002
【特許請求の範囲】
【請求項１】
固定翼航空機の主翼を胴体の取付部で回転させて主ローターを垂直上向・傾め後方、傾め前方、水平前方、傾め水平下方、と向きを変えて飛行できる様にし、ホバリングその場回転もできる航空機で水平飛行故障時により安全に水平飛行不時着陸できる様に考えたものである。
【請求項２】
主翼の回転角度と同角度で主水平尾翼が回転するのと平行して手動操作もできる。
【請求項３】
積荷重心移動装置。積荷台をコロにて重心を求め、機体の重心とキャスタにて動かして、重心を合せる。その後荷台を固定し、操縦の安定をより良くする装置。
【請求項４】
操縦の安定と片発飛行の安定と、浮力、推力、増強のための差動主ロータ
【請求項５】
機体内部を与圧室にするための、モノコック構造。
【請求項６】
垂直離着陸時に故障発生の場合、超巨大パラシュート、２個を機休の前部と後部から射出する。
【発明の詳細な説明】
【技術分野】
【０００１】  本発明は広大な滑走路が必要でない、また故障時に水平着陸が出来る。また、より速く飛び、より遠くまで飛べる。また荷物をより多く積載できる様に考えたものである。また操縦安定のため、主ローターを差動にすると考えたものである。
【背景技術】
【０００２】  故障時に、より安全に、不時着陸できる様に考案したものである。
【発明の概要】
【発明が解決しようとする課題】
【０００３】  従来の垂直離着陸飛行機は、故障時に不時着陸するのに、左右のバランスをとるのがむづかしいと考えられた。【０００４】  本発明は従来の垂直離着陸飛行機より安全に不時着陸できる様に考えたものである。
【課題を解決するための手段】
【０００５】  本発明は上記目的を達成するため、固定翼機の主翼と、ローターのついたその主翼を機体の取付部で回転させるものである。更に操縦安定のため主ローター回転の反作用をなくすため差動ローターとした。
【発明の効果】
【０００６】  水平飛行時に動力が故障した場合、故障した主ローターを空転状態にして、滑空水平飛行により水平不時着陸ができる。【０００７】  水平飛行時に推力に全パワーを使えるのでスピードが出せる
【図面の簡単な説明】
【０００８】
【図１】  機体平面図
【図２】  機体正面図
【図３】  機体側面図
【図４−１】  垂直上昇離陸時正面図
【図４−２】  機体上昇時平面図
【図５】  機体上昇時側面図
【図６】  主ローター差動ギヤ機構
【図７−１】  主翼回転機構  側面、平面、主翼関連機構
【図７−２】  胴体部主翼回転機構とバルチ略図
【図８−１】  主翼略図
【図８−２】  垂直水平尾翼動作説明略図
【図８−３】  水平尾翼動作説明略図
【図９】  主翼と主翼回転ギヤ関連略図
【図１０−１】  胴体とバルチモノコック略図
【図１０−２】  胴体・主翼・バルチ関連見取略図
【図１１】  垂直上昇降下時緊急時超巨大パラシュート射出図
【図１２】  操縦席パイロット用ハンドルとモーターブレーキスイッチ関連
【図１３−１】  主翼回転方向表示と操縦席モニター
【図１３−２】  主翼回転可逆転モーターと操縦席スイッチ機構
【図１４】  水平尾翼作動機構
【図１５】  積荷重心移動装置
【発明を実施するための形態】
【０００９】  滑走路の作れない狭い場所、５０ｍ平方ぐらいの場所でも離発着できる。
【実施例】  救急患者輸送、救難用（ロープにてつり上げ等）、定期航空輸送
【産業上の利用可能性】  滑走路の造れない狭い場所、観光用、定期航空用、距離大の小さい離島間の輸送、航空機タクシー。
【符号の説明】
【００１０】１０  主翼
１１  機体外板
１２ａ  主翼回転ギヤローラーベアリング
１０ａ  前縁補助翼
１０ｂ  後縁補助翼
１３  主翼回転駆動ギヤ
１４  回転伝達ギヤ
１５  伝達ギヤ駆動ギヤ
１６  モーターブレーキ
１７  モーターギヤ
１８  可逆転モーター
１２  主翼回転ギヤ
２２  水平尾翼右
２２ａ  可動部水平尾翼
２３  水平尾翼左
２３ａ  可動部水平尾翼
２１  垂直尾翼
５１  荷台
５２  キャスター２８個
５３  アルミパイプコロ長
５４  アルミパイプ短
５５  台広ジャッキ
１  エンジン
２  ミッションギヤ
３  クラッチ
４  動力伝達ギヤ
５  主逆転ローター
６  主正転ローター
７  空気整流キャップ
８  主逆転ローターギヤ
９  主正転ローターギヤ
１１  主逆転ローター軸ローラーベアリング
２３ａｂｃｄ  軸受
２０  バルチ
２４  床
２６  胴体
２７  超巨大パラシュート後部
２８  超巨大パラシュート前部
【図１】
2014065477.tif 000003
【図２】
2014065477.tif 000004
【図３】
2014065477.tif 000005
【図４−１】
2014065477.tif 000006
【図４−２】
2014065477.tif 000007
【図５】
2014065477.tif 000008
【図６】
2014065477.tif 000009
【図７−１】
2014065477.tif 000010
【図７−２】
2014065477.tif 000011
【図８−１】
2014065477.tif 000012
【図８−２】
2014065477.tif 000013
【図８−３】
2014065477.tif 000014
【図９】
2014065477.tif 000015
【図１０−１】
2014065477.tif 000016
【図１０−２】
2014065477.tif 000017
【図１１】
2014065477.tif 000018
【図１２】
2014065477.tif 000019
【図１３−１】
2014065477.tif 000020
【図１３−２】
2014065477.tif 000021
【図１４】
2014065477.tif 000022
【図１５】
2014065477.tif 000023